(57)【特許請求の範囲】
【請求項１】
送信側で互いに波長の異なる複数チャネルの光信号が波長多重された波長多重光信号から、受信側で波長選択器により所定の波長の光信号を選択して受信する光通信システムにおいて、
送信側では、予めそれぞれのチャネルの光信号に各々周波数が異なる識別信号を重畳し、受信側では、選択チャネルの光信号に重畳された識別信号の振幅が最大になるように前記波長選択器を制御するようにし、
前記波長選択器は、
第１の制御信号に基づき、前記波長多重光信号から所定の波長の光信号を選択出力する可変波長光バンドパスフィルタと、
この可変波長光バンドパスフィルタの出力の一部を分岐して出力する光分岐器と、
この光分岐器の出力を光電変換する光電変換器と、
この光電変換器の出力に基づき前記可変波長光バンドパスフィルタに前記第１の制御信号を与える制御手段とを具備し、
この制御手段は、
第２の制御信号に応じて、前記光電変換器の出力から受信チャネルの光信号に重畳された識別信号を取り出す可変狭帯域フィルタと、
この可変狭帯域フィルタの出力の振幅を取り出す整流器と、
所定の低周波信号を出力する発振器と、
前記整流器の出力と前記低周波信号とを位相比較する位相比較器と、
この位相比較器の出力の低周波成分を取り出すローパスフィルタと、
前記発振器が出力する低周波信号に前記ローパスフィルタの出力を加算し、前記第１の制御信号として前記可変波長光バンドパスフィルタに入力する加算器とを具備することを特徴とする光通信システム。
【請求項２】
送信側で互いに波長の異なる複数チャネルの光信号が波長多重された波長多重光信号から、受信側で波長選択器により所定の波長の光信号を選択して受信する光通信システムにおいて、
送信側では、予めそれぞれのチャネルの光信号に、各々周波数が異なる識別信号を重畳し、受信側では、選択チャネルの光信号に重畳された識別信号の振幅と、選択チャネル以外の光信号にそれぞれ重畳された識別信号の振幅の和との比が最大になるように前記波長選択器を制御するようにし、
前記波長選択器は、
第１の制御信号に基づき、前記波長多重光信号から所定の波長の光信号を選択出力する可変波長光バンドパスフィルタと、
この可変波長光バンドパスフィルタの出力の一部を分岐して出力する光分岐器と、
この光分岐器の出力を光電変換する光電変換器と、
この光電変換器の出力に基づき前記可変波長光バンドパスフィルタに前記第１の制御信号を与える制御手段とを具備し、
この制御手段は、
第２の制御信号に応じて、前記光電変換器の出力から選択チャネルの光信号に重畳された識別信号を取り出す可変狭帯域フィルタと、
所定の低周波信号を出力する発振器と、
前記光電変換器の出力から、前記可変狭帯域フィルタの出力を減算する減算器と、
この減算器の出力と、前記可変狭帯域フィルタの出力との比を求める除算器と、
この除算器の出力の振幅を取り出す整流器と、
この整流器の出力と前記低周波信号とを位相比較する位相比較器と、
この位相比較器の出力の低周波成分を取り出すローパスフィルタと、
前記発振器が出力する低周波信号に前記ローパスフィルタの出力を加算し、前記第１の制御信号として前記可変波長光バンドパスフィルタに入力する加算器とを具備することを特徴とする光通信システム。
【請求項３】
送信側で互いに波長の異なる複数チャネルの光信号が波長多重された波長多重光信号から、受信側で波長選択器により所定の波長の光信号を選択して受信する光通信システムにおいて、
送信側では、予めそれぞれのチャネルの光信号に、各々周波数が異なる識別信号を重畳し、受信側では、選択チャネルの光信号に重畳された識別信号の振幅と、選択チャネル以外の光信号にそれぞれ重畳された識別信号の振幅の和との比が最大になるように前記波長選択器を制御するようにし、
前記波長選択器は、
与えられる制御信号に基づき、前記波長多重光信号から所定の波長の光信号を選択出力する可変波長光バンドパスフィルタと、
この可変波長光バンドパスフィルタの出力の一部を分岐して出力する光分岐器と、
この光分岐器の出力を光電変換する光電変換器と、
この光電変換器の出力に基づき前記可変波長光バンドパスフィルタに前記制御信号を与える制御手段とを具備し、
この制御手段は、
前記光電変換器の出力から各々の光信号に重畳された識別信号成分を取り出す複数のフィルタと、
これらの複数のフィルタに対して設けられ、それぞれのフィルタの出力から、前記識別信号成分の振幅を取り出す複数の整流器と、
これらの複数の整流器から出力される各々の識別信号成分の振幅のうち、選択チャネルの光信号に対応するもの以外の和を求めるための加算器と、
この加算器の出力と、選択チャネルの光信号に対応する識別信号成分の振幅との比を求める除算器と、
この除算器の出力と前記低周波信号とを位相比較する位相比較器と、
この位相比較器の出力の低周波成分を取り出すローパスフィルタと、
前記発振器が出力する低周波信号に前記ローパスフィルタの出力を加算し、前記制御信号として前記可変波長光バンドパスフィルタに入力する加算器とを具備することを特徴とする光通信システム。
【請求項４】
送信側で互いに波長の異なる複数チャネルの光信号が波長多重された波長多重光信号から、受信側で波長選択器により所定の波長の光信号を選択して受信する光通信システムにおいて、
送信側では、予めそれぞれのチャネルの光信号に、各々周波数が異なる識別信号を重畳し、受信側では、選択チャネルの光信号に重畳された識別信号の振幅と、選択チャネル以外の光信号にそれぞれ重畳された識別信号の振幅の和との差が最大になるように前記波長選択器を制御するようにし、
前記波長選択器は、
第１の制御信号に基づき、前記波長多重光信号から所定の波長の光信号を選択出力する可変波長光バンドパスフィルタと、
この可変波長光バンドパスフィルタの出力の一部を分岐して出力する光分岐器と、
この光分岐器の出力を光電変換する光電変換器と、
この光電変換器の出力に基づき前記可変波長光バンドパスフィルタに前記第１の制御信号を与える制御手段とを具備し、
この制御手段は、
第２の制御信号に応じて、前記光電変換器の出力から選択チャネルの光信号に重畳された識別信号を取り出す可変狭帯域フィルタと、
所定の低周波信号を出力する発振器と、
前記光電変換器の出力から、前記可変狭帯域フィルタの出力を減算する減算器と、
この減算器の出力と、前記可変狭帯域フィルタの出力との差を求める減算器と、
この減算器の出力の振幅を取り出す整流器と、
この整流器の出力と前記低周波信号とを位相比較する位相比較器と、
この位相比較器の出力の低周波成分を取り出すローパスフィルタと、
前記発振器が出力する低周波信号に前記ローパスフィルタの出力を加算し、前記第１の制御信号として前記可変波長光バンドパスフィルタに入力する加算器とを具備することを特徴とする光通信システム。
【請求項５】
送信側で互いに波長の異なる複数チャネルの光信号が波長多重された波長多重光信号から、受信側で波長選択器により所定の波長の光信号を選択して受信する光通信システムにおいて、
送信側では、予めそれぞれのチャネルの光信号に、各々周波数が異なる識別信号を重畳し、受信側では、選択チャネルの光信号に重畳された識別信号の振幅と、選択チャネル以外の光信号にそれぞれ重畳された識別信号の振幅の和との差が最大になるように前記波長選択器を制御するようにし、
前記波長選択器は、
与えられる制御信号に基づき、前記波長多重光信号から所定の波長の光信号を選択出力する可変波長光バンドパスフィルタと、
この可変波長光バンドパスフィルタの出力の一部を分岐して出力する光分岐器と、
この光分岐器の出力を光電変換する光電変換器と、
この光電変換器の出力に基づき前記可変波長光バンドパスフィルタに前記制御信号を与える制御手段とを具備し、
この制御手段は、
前記光電変換器の出力から各々の光信号に重畳された識別信号成分を取り出す複数のフィルタと、
これらの複数のフィルタに対して設けられ、それぞれのフィルタの出力から、前記識別信号成分の振幅を取り出す複数の整流器と、
これらの複数の整流器から出力される各々の識別信号成分の振幅のうち、選択チャネルの光信号に対応するもの以外の和を求めるための加算器と、
この加算器の出力と、選択チャネルの光信号に対応する識別信号成分の振幅との差を求める減算器と、
この減算器の出力と前記低周波信号とを位相比較する位相比較器と、
この位相比較器の出力の低周波成分を取り出すローパスフィルタと、
前記発振器が出力する低周波信号に前記ローパスフィルタの出力を加算し、前記制御信号として前記可変波長光バンドパスフィルタに入力する加算器とを具備することを特徴とする光通信システム。
【発明の詳細な説明】
【０００１】
【発明の属する技術分野】
本発明は、例えば波長多重光通信システムとして実現される光通信システムとその光送信器および波長選択器に関する。
【０００２】
【従来の技術】
近年になり、波長多重光通信システムに関する技術開発が盛んである。このような状況にあって様々な形態のシステムが開発されているなかで、受信側に波長選択器を備え、波長多重光から所定の波長の光信号を選択して受信するようにしたシステムがある。そのような波長多重光通信システムの一例を図９に示す。
【０００３】
図９に示す波長多重光通信システムは、それぞれ波長の異なる光信号λ１〜λｎを発振出力する複数の分布帰還形レーザ（ＤＦＢ−ＬＤ）１−１〜１−ｎを各々データ信号で駆動し、強度変調された出力光を光結合器２で波長多重して光ファイバ３を介して光受信器４に向け送出する。光受信器４の入力側には波長選択器５が設けられており、外部からの制御信号（図示せず）に応じて波長多重光から所望の波長の光信号を選択して光受信器４に導くようになっている。
【０００４】
波長選択器５は、例えば音響光学フィルタ，ファブリペロフィルタ，誘電体多層膜フィルタなどの可変波長光バンドパスフィルタ（ＯＴＦ）５１と、光分岐器５２と、フォトダイオード（ＰＤ）５３と、制御部５４とを備え、ＯＴＦ５１の出力光を光分岐器５２で一部分岐してフォトダイオード５３で光電変換し、この光電変換出力に基づいて制御部５４からＯＴＦ５１に制御信号をフィードバックするものとなっている。
【０００５】
ところで、周囲の温度変化や経年変化などの影響により、ＯＴＦ５１の中心波長や各チャネルの波長が設定値からずれることがある。これによる受信特性の劣化を避けるため、制御部５４に所謂ラインロック機能を設けて受信特性を安定化させるようにしている。
【０００６】
図１０に、制御部５４の構成を示す。この制御部５４は、位相比較器５４１と、ローパスフィルタ（ＬＰＦ）５４２と、加算器５４３と、低周波発振器５４４とを備えている。そして、ＰＤ５３の出力と低周波発振器５４４の出力とを位相比較器５４１で位相比較し、ローパスフィルタ５４２を介して加算器５４３に導く。加算器５４３には、低周波発振器５４４の出力と外部からの制御電圧が与えられており、これらの加算値をＯＴＦ５１にフィードバックするようになっている。
【０００７】
上記構成によれば、運用条件の変化によらず、受信特性を安定化させることが可能となるが、反面、以下のような不具合を伴う。すなわち、上記構成ではＯＴＦ５１を通過した光信号そのものの強度を見ているため、波長多重光に含まれる各波長の光信号の強度や、波長間隔にばらつきが有った場合にはＯＴＦ５１の中心波長が所望の値からずれることがあった。
【０００８】
例えば図１１に示すように波長がλ２の光信号にＯＴＦ５１の特性を合わせようとしても、隣の波長がλ３の光信号の強度が強すぎる場合や、波長間隔が狭すぎる場合には、λ３の光信号よりにＯＴＦ５１の中心波長がずれる場合があった。このずれは、光受信器４におけるクロストークの原因になり、受信特性を悪化させることになり好ましくない。
【０００９】
【発明が解決しようとする課題】
上記したように従来の波長選択器を用いた光通信システムでは、可変波長光バンドパスフィルタを通過する光信号の強度そのものをモニタすることで波長選択器のフィルタ特性を調整していた。このため、波長多重された光信号の波長間隔にばらつきがあったり、強度に差があったりした場合には光フィルタの中心波長が設定値からずれることがあり、クロストークを生じて受信信号が劣化し易いという不具合があった。
【００１０】
本発明は上記事情によりなされたもので、その目的は、波長間隔や光パワーレベルにばらつきがある場合においても、クロストークを最小限に抑えながら所望の波長の信号を選択することが可能な光通信システムとその光送信器および波長選択器を提供することにある。
【００１１】
【課題を解決するための手段】
上記目的を達成するために本発明は、送信側で互いに波長の異なる複数チャネルの光信号が波長多重された波長多重光信号から受信側で波長選択器により所定の波長の光信号を選択して受信する光通信システムにおいて、送信側では、予めそれぞれのチャネルの光信号に各々周波数が異なる識別信号を重畳し、受信側では、受信チャネルの光信号に重畳された識別信号の振幅が最大になるように前記波長選択器を制御するようにし、前記波長選択器は、第１の制御信号に基づき、前記波長多重光信号から所定の波長の光信号を選択出力する可変波長光バンドパスフィルタと、この可変波長光バンドパスフィルタの出力の一部を分岐して出力する光分岐器と、この光分岐器の出力を光電変換する光電変換器と、この光電変換器の出力に基づき前記可変波長光バンドパスフィルタに前記第１の制御信号を与える制御手段とを具備し、この制御手段は、第２の制御信号に応じて、前記光電変換器の出力から受信チャネルの光信号に重畳された識別信号を取り出す可変狭帯域フィルタと、この可変狭帯域フィルタの出力の振幅を取り出す整流器と、所定の低周波信号を出力する発振器と、前記整流器の出力と前記低周波信号とを位相比較する位相比較器と、この位相比較器の出力の低周波成分を取り出すローパスフィルタと、前記発振器が出力する低周波信号に前記ローパスフィルタの出力を加算し、前記第１の制御信号として前記可変波長光バンドパスフィルタに入力する加算器とを具備することを特徴とする。
【００１３】
このようにすれば、波長多重された光信号の波長間隔にばらつきがあったり、強度に差があったりした場合でも、受信側では識別信号に基づいて各チャネルを確実に識別できるようになる。このため、所望の受信チャネルの識別信号レベルの絶対値を最大に、または所望の受信チャネルの識別信号レベルとそれ以外のチャネルのそれぞれの識別信号の和との比または差を最大になるようにすることで、光フィルタの特性を常に最適に調整できるようになる。これにより、クロストークの発生による受信特性の劣化を最小限に抑えることが可能となる。
【００１４】
【発明の実施の形態】
以下、図面を参照して本発明の実施の形態を詳細に説明する。
（第１の実施の形態）
図１に、本発明の第１の実施の形態に係わる光通信システムの基本的構成を示す。なお、図９と同一部分には同一の符号を付して示し、重複する説明は省略する。
【００１５】
本実施の形態の光通信システムは、従来の光通信システムとほぼ同様の構成をしているが、各分布帰還形レーザ（ＤＦＢ−ＬＤ）１−１〜１−ｎを駆動するデータ信号に、互いに周波数が異なる識別信号（周波数をｆ１〜ｆｎとする）を重畳し、さらに制御部５４の構成を変えたものとなっている（符号を６とする）。
【００１６】
図２に、本実施形態での制御部６の構成を示す。制御部６は、バンドパスフィルタ（ＢＰＦ）６１と、位相比較器６２と、ローパスフィルタ（ＬＰＦ）６３と、加算器６４と、低周波発振器６５と、整流器６６とを備えている。そして、外部からの制御信号に応じて、ＢＰＦ６１でフォトダイオード（ＰＤ）５３の出力から所望の波長の光信号に重畳された識別信号を取り出す。ここでは、波長λｋの光信号に対応したｆｋの識別信号を取り出すものとする。
【００１７】
整流器６６によりこのｆｋの識別信号の振幅成分が取り出され、この振幅成分は低周波発振器６５が出力する低周波信号（ｆｏｓｃ）と共に位相比較器６２に与えられる。ここで両信号の位相が比較され、その結果がＬＰＦ６３を介して加算器６４に与えられる。加算器６４では、低周波発振器６５のｆｏｓｃとＬＰＦ６３の出力とが加算されて可変波長光バンドパスフィルタ（ＯＴＦ）５１に与えられるようになっている。このため、ＯＴＦ５１のフィルタ特性はＬＰＦ６３の出力を中心としてｆｏｓｃの周期で移動するようになる。
【００１８】
図５に、ＯＴＦ５１のフィルタ特性の移動に伴い、ＯＴＦ５１を通過した光信号の位相が変化する様子を示す。例えばＯＴＦ５１のフィルタ特性がλ０を中心として移動すると、互いに波長のずれたλ１，λ２の波長の光信号は互いに逆位相で出力される。一方、λ０の光信号は、λ１，λ２の２倍の周波数で出力されることになる。
【００１９】
かくして本実施形態では、予め各チャネルの光信号にそれぞれ周波数が異なる識別信号を重畳したうえで波長多重する。この波長多重光から、可変波長光バンドパスフィルタ（ＯＴＦ）５１で所望の波長の光信号を透過させる。このとき、受信チャネルの光信号に重畳された識別信号の振幅が最大になるようにＯＴＦ５１のフィルタ特性を制御するようにしている。これにより、波長間隔や光パワーレベルにばらつきがある場合においても、可変波長光バンドパスフィルタ（ＯＴＦ）５１の中心波長を所望の光信号の波長と正確に合わせることが可能となる。図６（ａ）に、上記構成によるフィルタ特性を示す。ここでは、λ２の波長の光信号の透過率が最良になるように制御した場合を示す。
【００２０】
（第２の実施の形態）
本実施の形態の光通信システムは、図１における制御部６の構成を以下のようにしたものとなっている（符号を７とする）。
図３に、本実施形態での制御部７の構成を示す。制御部７は、バンドパスフィルタ（ＢＰＦ）７１と、減算器７２と、除算器７３と、位相比較器７４と、ローパスフィルタ（ＬＰＦ）７５と、加算器７６と、低周波発振器７７と、整流器７８とを備えている。
【００２１】
フォトダイオード（ＰＤ）５３で光電変換された可変波長光バンドパスフィルタ（ＯＴＦ）５１の出力は、２分岐されてそれぞれＢＰＦ７１と減算器７２とに与られる。ＢＰＦ７１では、外部からの制御信号に応じて所望の受信チャネルの光信号に重畳された識別信号が得られる。その出力は２分岐され、減算器７２と除算器７３とに入力される。減算器７２では、各チャネルの識別信号のうち、受信チャネルの光信号に重畳された識別信号以外の和が出力される。かくして、除算器７３からは、受信チャネルの光信号に重畳された識別信号と、それ以外の識別信号の和との比が出力される。
【００２２】
除算器７３の出力は、整流器７８を介してその振幅成分が位相比較器７４に入力され、以後第１の実施の形態と同様にして受信チャネルの光信号に重畳された識別信号とそれ以外の識別信号の和との比が最大になるようにＯＴＦ５１のフィルタ特性が制御される。このようにすることで、信号／クロストーク比が最大になるようにＯＴＦ５１の中心波長を合わせることができる。図６（ｂ）に本実施の形態によるＯＴＦ５１のフィルタ特性を示す。
【００２３】
（第３の実施の形態）
本実施の形態の光通信システムは、図１における制御部６の構成を以下のようにしたものとなっている（符号を８とする）。
図４に、本実施形態での制御部８の構成を示す。制御部８は、各チャネルに対して設けられ、フォトダイオード（ＰＤ）５３の光電変換出力からそれぞれのチャネルの識別信号の成分を取り出すフィルタ８１−１〜８１−ｎと、各フィルタ８１−１〜８１−ｎの出力から識別信号の振幅を取り出す整流器８２−１〜８２−ｎと、加算器８３と、除算器８４と、位相比較器８５と、ローパスフィルタ（ＬＰＦ）８６と、加算器８７と、低周波発振器８８とを備えている。
【００２４】
加算器８７には、各整流器８２−１〜８２−ｎの出力のうち、所望の波長（例えばλ２）以外の光信号の識別信号が与えられる。除算器８４には、この加算器８７の出力と、所望の波長（λ２）の光信号の識別信号が入力される。かくして除算器８４からは、所望の波長λ２の光信号に重畳された識別信号と、それ以外の識別信号の和との比が出力される。以後第２の実施の形態と同様にして、λ２の光信号に重畳された識別信号とそれ以外の識別信号の和との比が最大になるように可変波長光バンドパスフィルタ（ＯＴＦ）５１のフィルタ特性が制御される。このようにすることでも、上記第２の実施の形態と同様の効果を得ることができる。
【００２５】
以上、第１〜第３の実施形態に示したように構成することで、波長間隔や光パワーレベルにばらつきがある場合においても、クロストークを最小限に抑えながら所望の波長の信号を選択することが可能な光通信システムとその光送信器および波長選択器を提供することが可能となる。
【００２６】
なお、本発明は上記各実施の形態に限定されるものではない。例えば上記第２の実施の形態では除算器７３を設け、受信チャネルの光信号に重畳された識別信号と、それ以外の識別信号の和との比を求め、この比が最大となるようにＯＴＦ５１のフィルタ特性を制御するようにしたが、除算器７３に換えて減算器を設け、この減算器により受信チャネルの光信号に重畳された識別信号と、それ以外の識別信号の和との差を求め、この差が最大となるようにＯＴＦ５１のフィルタ特性を制御するようにしてもよい。上記作用をもたらす制御部７の構成を図７に示す（図３の除算器７３を減算器７９に置き換えたものとなっている）。このようにしても同様の効果を得ることができる。
【００２７】
第３の実施の形態についても同様に、除算器８４に換えて減算器を設け、この減算器により受信チャネルの光信号に重畳された識別信号と、それ以外の識別信号の和との差を求め、この差が最大となるようにＯＴＦ５１のフィルタ特性を制御するようにしてもよい。上記作用をもたらす制御部８の構成を図８に示す（図４の除算器８４を減算器８９に置き換えたものとなっている）。このようにしても同様の効果を得ることができる。
その他、本発明の要旨を逸脱しない範囲で種々の変形を行うことが可能である。
【００２８】
【発明の効果】
以上詳述したように本発明では、送信側で互いに波長の異なる複数チャネルの光信号が波長多重された波長多重光信号から受信側で波長選択器により所定の波長の光信号を選択して受信する光通信システムにおいて、送信側で予めそれぞれのチャネルの光信号に各々周波数が異なる識別信号を重畳し、受信側で受信チャネルの光信号に重畳された識別信号の振幅が最大になるように前記波長選択器を制御するようにした。または、受信チャネルの光信号に重畳された識別信号の振幅と、受信チャネル以外の光信号に重畳された識別信号の振幅の和との比が最大になるように前記波長選択器を制御するようにした。
【００２９】
したがって、波長多重された光信号の波長間隔にばらつきがあったり、強度に差があったりした場合でも、受信側では識別信号に基づいて各チャネルを確実に識別できるようになる。このため、波長選択器の特性を常に最適に調整できるようになり、クロストークの発生による受信特性の劣化を最小限に抑えることが可能となる。
【図面の簡単な説明】
【図１】  本発明の実施の形態に係わる光通信システムの基本的構成を示す回路ブロック図。
【図２】  本発明の第１の実施の形態に係わる制御部６の構成を示す回路ブロック図。
【図３】  本発明の第２の実施の形態に係わる制御部７の構成を示す回路ブロック図。
【図４】  本発明の第３の実施の形態に係わる制御部８の構成を示す回路ブロック図。
【図５】  上記第１乃至第３の実施の形態において、ＯＴＦ５１のフィルタ特性の移動に伴い、ＯＴＦ５１を通過した光信号の位相が変化する様子を示す図。
【図６】  上記第１乃至第３の実施の形態において、ＯＴＦ５１のフィルタ特性が制御される様子を示す図。
【図７】  本発明の第２の実施の形態に係わる制御部７の構成の他の例を示す回路ブロック図。
【図８】  本発明の第３の実施の形態に係わる制御部８の構成の他の例を示す回路ブロック図。
【図９】  従来の光通信システムの基本的構成を示す回路ブロック図。
【図１０】  従来の光通信システムの制御部５４の構成を示す回路ブロック図。
【図１１】  従来の光通信システムの不具合を示すために用いた図。
【符号の説明】
１−１〜１−ｎ…分布帰還形レーザ（ＤＦＢ−ＬＤ）
λ１〜λｎ…光信号
２…光結合器
３…光ファイバ
４…光受信器
５…波長選択器
５１…可変波長光バンドパスフィルタ（ＯＴＦ）
５２…光分岐器
５３…フォトダイオード（ＰＤ）
５４…従来構成の制御部
５４１…位相比較器
５４２…ローパスフィルタ（ＬＰＦ）
５４３…加算器
５４４…低周波発振器
ｆ１〜ｆｎ…識別信号とその周波数
６…第１の実施の形態の制御部
６１…バンドパスフィルタ（ＢＰＦ）
６２…位相比較器
６３…ローパスフィルタ（ＬＰＦ）
６４…加算器
６５…低周波発振器
６６…整流器
７…第２の実施の形態の制御部
７１…バンドパスフィルタ（ＢＰＦ）
７２…減算器
７３…除算器
７４…位相比較器
７５…ローパスフィルタ（ＬＰＦ）
７６…加算器
７７…低周波発振器
７８…整流器
７９…減算器
８…第３の実施の形態の制御部
８１−１〜８１−ｎ…フィルタ
８２−１〜８２−ｎ…整流器
８３…加算器
８４…除算器
８５…位相比較器
８６…ローパスフィルタ（ＬＰＦ）
８７…加算器
８８…低周波発振器
８９…減算器
【図１】
0003754194.tif 000002
【図２】
0003754194.tif 000003
【図３】
0003754194.tif 000004
【図４】
0003754194.tif 000005
【図５】
0003754194.tif 000006
【図６】
0003754194.tif 000007
【図７】
0003754194.tif 000008
【図８】
0003754194.tif 000009
【図９】
0003754194.tif 000010
【図１０】
0003754194.tif 000011
【図１１】
0003754194.tif 000012